(57)【要約】【課題】適正な操作ボタン数でありながら、記録紙種別数に対しユーザーの要望を満足させることができる画像形成装置を提供すること。【解決手段】複数の種別の記録材を収納する記録材収納手段と、使用可能な記録材種別に応じて画像形成条件を選択し制御する制御手段と、使用可能な種別の記録材を表示する表示手段と、特定の記録材の種別を選択する選択手段とを有する画像形成装置において、前記選択手段には、複数の第１の入力手段と１つまたは複数の第２の入力手段があり、当該第１の入力手段の選択により全ての記録材収納手段に共通して特定の記録材種別を設定することができ、当該第２の入力手段は前記第１の入力手段に優先してそれぞれの記録材収納手段に対し個別に特定の記録材種別を設定することができることを特徴とする画像形成装置。【選択図】　　　　図５
2004021080.tif 000002
【特許請求の範囲】
【請求項１】
複数の種別の記録材をそれぞれに収納する複数の記録材収納手段と、使用可能な記録材種別に応じて画像形成条件を選択し画像形成装置の動作を制御する制御手段と、使用可能な種別の記録材を表示する表示手段と、特定の記録材の種別を選択する選択手段とを有する画像形成装置において、
前記選択手段には、第１の入力手段と第２の入力手段があり、前記第１の入力手段は複数設けられ、当該第１の入力手段の選択により全ての記録材収納手段に共通して特定の記録材種別を設定することができ、前記第２の入力手段は１つまたは複数設けられ、当該第２の入力手段の選択により前記第１の入力手段に優先してそれぞれの記録材収納手段に対し個別に特定の記録材種別を設定することができることを特徴とする画像形成装置。
【発明の詳細な説明】
【０００１】
【発明の属する技術分野】
本発明は複写機、プリンタ等の画像形成装置に関し、特に記録紙の紙情報に基づいて画像形成条件を制御する画像形成装置に関する。
【０００２】
【従来の技術】
一般に複写機、プリンタ等の画像形成装置には紙種別の異なる記録材である記録紙を収納した記録材収納手段を複数内蔵し、例えば、普通紙、厚紙、及び薄紙等を選択、給紙して画像形成している。
【０００３】
一方、画像形成装置においては、転写性能、分離性能、または定着性能を向上させるため、紙種別に応じて転写手段の転写電流、分離手段の分離電流、または定着手段の熱源の設定温度等を変化させている。
【０００４】
しかしながら、画像形成装置に用いられる記録材である記録紙の種別は、ユーザーによりまちまちで、例えば、同じ厚紙でも紙坪量により、１６０ｇ／ｍ２、２００ｇ／ｍ２、３００ｇ／ｍ２等の種別の厚紙が用いられている。普通紙及び薄紙でも同様に用いられる記録紙の種別はまちまちである。
【０００５】
従って、画像形成装置が、普通紙、厚紙、及び薄紙等の記録紙種別に応じて転写電流、分離電流、または熱源の設定温度等を変化させるという、記録紙種別に対応して画像形成条件を変化させうる構成を有していても、当該画像形成条件を数多い記録紙種別の全てに適正に対応させることは困難である。
【０００６】
【発明が解決しようとする課題】
画像形成装置の操作部に表示される使用しうる記録紙の種別を増やし選択できる記録紙種別数を多くすれば上記のような問題は解決できるが、記録紙種別数を増やすため操作するボタンの数を多くすると操作しにくくなるという問題がある。また、ボタンの数を少なくし、かつ、多くの記録紙の種別を選択しうる構成とするため操作の回数を増やす方式を採用しても、操作に手間がかかるという問題は解決されない。
【０００７】
本発明は上記の問題点を解決し、使用しうる記録紙の種別を設定する際に、適正な操作ボタン数でありながら、記録紙種別数に対しユーザーの要望を満足させることができる画像形成装置を提供することを目的とする。
【０００８】
【課題を解決するための手段】
上記目的は下記の構成により達成される。
【０００９】
（１）複数の種別の記録材をそれぞれに収納する複数の記録材収納手段と、使用可能な記録材種別に応じて画像形成条件を選択し画像形成装置の動作を制御する制御手段と、使用可能な種別の記録材を表示する表示手段と、特定の記録材の種別を選択する選択手段とを有する画像形成装置において、
前記選択手段には、第１の入力手段と第２の入力手段があり、前記第１の入力手段は複数設けられ、当該第１の入力手段の選択により全ての記録材収納手段に共通して特定の記録材種別を設定することができ、前記第２の入力手段は１つまたは複数設けられ、当該第２の入力手段の選択により前記第１の入力手段に優先してそれぞれの記録材収納手段に対し個別に特定の記録材種別を設定することができることを特徴とする画像形成装置。
【００１０】
【発明の実施の形態】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１１】
図１は、本発明にかかわる記録材種別設定機能を有する画像形成装置の一実施の形態を示す電子写真方式を用いたディジタル複合機の概要断面図である。
【００１２】
図に示す画像形成装置は、デジタル方式を用いた複合機能を有する画像形成装置であって、装置本体の上部に自動原稿搬送装置ＡＤＦを設けるとともに、画像読取り部Ａ、画像処理部Ｂ（図示省略）、画像形成部Ｃ、画像書込部Ｄ、及び記録材給送部Ｅから構成されている。
【００１３】
自動原稿搬送装置ＡＤＦは、装置本体の上部に設けられ、原稿を一枚ずつ送り出し、原稿の画像読取位置へと搬送し、画像読取が終わった原稿を排紙する装置である。原稿載置台１１１上に載置された複数枚の原稿は、原稿分離ローラ１１２によって分離され、１枚ずつ搬送される。原稿分離ローラ１１２によって分離・搬送された原稿は、原稿搬送ローラ１１３によって搬送され、下方に設けられた画像読取り部Ａによって、スリット２１１を通して、原稿の画像が読み取られる。画像が読み取られた原稿は、原稿排紙ローラ１１４によって、原稿排紙台１１５上へと排紙される。ところで、原稿の両面の画像を読み取る際には、画像が読み取られた原稿は、原稿反転部１１６によって原稿の表裏が反転されて、再度、原稿搬送ローラ１１３によって搬送され、画像読取り部Ａによって、スリット２１を通して、原稿の裏面の画像が読み取られる。そして、裏面の画像が読み取られた原稿は、原稿排紙ローラ１１４によって、原稿排紙台１１５上へと排紙される。このような工程を、原稿載置台１１１上に載置された原稿の枚数分繰り返され、原稿の画像が読み取られる。
【００１４】
また、自動原稿搬送装置ＡＤＦは、一体に可倒式に構成されており、この自動原稿搬送装置ＡＤＦを起こしてプラテンガラス２１２上を開放することにより、プラテンガラス２１２上に原稿を直接載置することができるように構成している。なお、本実施の形態では、原稿搬送ローラ１１３によって原稿を搬送しながら、原稿の画像を読み取るように構成しているが、原稿搬送ローラ１１３によって搬送された原稿をプラテンガラス２１２上に静止させた上で画像を読み取るように構成してもよい。
【００１５】
画像読取り部Ａは、原稿の画像を読み取り画像データを得る手段であり、装置本体内の上部に設けられている。この画像読取り部Ａは、自動原稿搬送装置ＡＤＦの原稿搬送ローラ１１３によって搬送されている原稿の画像を読み取るためのスリット状の開口部であるスリット２１１と、原稿を直接載置（静置）するための原稿台であるプラテンガラス２１２と、原稿に光照射する光源であるランプと原稿からの反射光を反射させる第１ミラーとを一体化している第１ミラーユニット２１３と、第１ミラーからの光を反射させる第２ミラーと第３ミラーとを一体化したＶミラーユニット２１４と、スリット２１１上或いはプラテンガラス２１２上の原稿からの反射光をＣＣＤイメージセンサ２１６に結像させる結像手段である結像レンズ２１５と、結像レンズ２１５によって結像された光像を光電変換して画像情報を得る画像読取手段であるライン状のＣＣＤイメージセンサ２１６とによって構成されている。
【００１６】
自動原稿搬送装置ＡＤＦによって送られている原稿を、画像読取り部Ａで読み取る際は、第１ミラーユニット２１３及びＶミラーユニット２１４は、図１において左方に移動し、第１ミラーユニット２１３がスリット２１１の下方に位置している。そして、原稿搬送ローラ１１３によってスリット２１１上を搬送されている原稿を、ランプで光照射し、原稿から反射した光は、第１ミラーユニット２１３、Ｖミラーユニット２１４、結像レンズ２１５を介して、ＣＣＤイメージセンサ２１６に入射する。ＣＣＤイメージセンサ２１６では、入射した光を光電変換して、主走査方向（図１において紙面垂直方向）に原稿の画像を読み取り、一方、原稿が原稿搬送ローラ１１３によって副走査方向に移動されているので、原稿全面の画像を読み取ることができる。ＣＣＤイメージセンサ２１６で読み取った画像情報は順次電気信号（輝度信号）に光電変換されたのちＡ／Ｄ変換を行い、画像処理部Ｂにおいて濃度変換、フィルタ処理などの処理が施された後、画像データは一旦メモリにストアされた後、レーザ書込系を用いた画像書込部Ｄに供される。
【００１７】
また、プラテンガラス２１２上に原稿が直接載置された場合は、第１ミラーユニット２１３とＶミラーユニット２１４とを、プラテンガラスに沿って、図１において右方向に移動させながら、原稿の画像を読み取ることができる。
【００１８】
画像形成部Ｃは、画像読取り部Ａで得た画像データに基づいて所定のプロセススピードで搬送されている記録材上に画像形成を行う。本実施の形態の画像形成部Ｃは、電子写真プロセスを用いて画像を形成するものである。
【００１９】
画像形成部Ｃでは、画像形成ユニットとして像担持体である感光体ドラム１０の外周に、帯電手段である帯電器１１、現像手段である現像器１３、転写手段である転写器１４ａ、分離手段である分離器１４ｂ、クリーニング手段であるクリーニング装置１８が各々動作順に配置されている。感光体ドラム１０は、光導電性化合物をドラム基体上に塗布形成したもので、例えば有機感光体（ＯＰＣ）が使用され、図示の時計方向に駆動回転される。
【００２０】
回転する感光体ドラム１０へは帯電器１１による一様帯電がなされた後、画像書込部Ｄにより画像処理部Ｂのメモリより呼び出された画像信号に基づいた像露光（画像書込）が行われる。画像書込部Ｄは図示しないレーザダイオードを発光光源とし、画像情報に基づきレーザビーム光が変調され、回転するポリゴンミラー１２ａ、ｆθレンズ（符号なし）、シリンドリカルレンズ（符号なし）を経て反射ミラー１２ｂにより光路が曲げられ主走査がなされるもので、感光体ドラム１０上の所定位置において像露光（画像書込）が行われ、感光体ドラム１０の回転（副走査）によって潜像が形成される。本実施例では文字部に対して露光を行い反転潜像を形成する。
【００２１】
感光体ドラム１０上の反転潜像は現像器１３によって反転現像が行われ、感光体ドラム１０の感光層面にトナー像による可視画像が形成される。
【００２２】
記録材給送部Ｅでは、画像形成ユニットの下方に記録材である記録紙Ｐが収納された給紙カセット４１ａ〜４１ｃを有する記録材収納手段である給紙ユニット４Ａ、４Ｂ、４Ｃが設けられていて、記録紙Ｐが何れかの給紙カセット４１ａ〜４１ｃより、送り出しローラ４２ａ〜４２ｃ、捌きローラ４３ａ〜４３ｃにより送り出され、中間搬送ローラ４４ａ〜４４ｃ、案内ローラ４５を経て搬送部４０の入口側のレジストローラ４６へと搬送される。
【００２３】
また、画像形成部Ｃの側方には手差し給紙を行うための手差し給紙装置６０が設けられていて、側板６２、６３により位置出しされて手差し給紙台６１に積載される記録紙Ｐは、手差し給紙が選択された場合、押し上げ板６４により手差し送り出しローラ６５へ押圧される状態とされ、手差し送り出しローラ６５と手差し捌きローラ６６とにより、手差し給紙台６１上から１枚ずつ送り出され、レジストローラ４６へと搬送される。
【００２４】
上記それぞれの方法により給紙される記録紙Ｐは、レジストローラ４６によって記録材の傾きと片寄りの修正を行い一時停止された後、感光体ドラム１０上のトナー像と同期が取られてレジストローラ４６から再給紙が行われ、転写前ローラ４７を経て転写器１４ａの転写域へと搬送される。
【００２５】
感光体ドラム１０上のトナー像は転写域において、転写器１４ａによって記録紙Ｐ上に転写され、次いで分離器１４ｂによって除電されて感光体ドラム１０面より分離され、搬送ベルト１４ｃにより定着装置１７に搬送される。
【００２６】
定着装置１７は定着ローラ１７ａと加圧ローラ１７ｂとを有しており、記録紙Ｐを定着ローラ１７ａと加圧ローラ１７ｂとの間を通過させることにより、加熱、加圧によってトナー像が記録紙Ｐ上に溶融、固着される。
【００２７】
転写後の感光体ドラム１０の周面上に残った転写残トナーは、クリーニング手段であるクリーニング装置１８によりクリーニングされる。
【００２８】
片面のトナー像の定着を終えた記録紙Ｐは次に述べるモードにしたがって他面にもトナー画像を形成する両面画像形成を行い、或いは片面画像の状態で排紙トレイ１９上に排出される。
【００２９】
図２は画像形成システムの電気的構成例を示す概要図である。
上記した画像読取部Ａ、画像処理部Ｂ、画像形成部Ｃ、画像書込部Ｄ、記録材給送部Ｅは、図示のように、データバスＤＢ等を介して、ＣＰＵや制御回路等により構成される制御手段９によって制御されるようになっている。
【００３０】
また、画像読取装置Ｂにより読み取られた原稿の内容に基づく原稿画像データを記憶するメモリＭが、データバスＤＢに接続されている。このメモリＭにおいて、上記原稿画像データは、読み込まれた原稿のページを単位として管理される。すなわち、当該ページごとにファイル番号等が付され、これに基づき読み出し・書き込み動作がなされる。
【００３１】
更に、メモリＭには、本発明に係る記録紙種別に対応する画像形成条件についての制御テーブルが読み込まれている。
【００３２】
当該画像形成条件とはプロセス条件や記録紙搬送条件等のことで、例えば、記録紙の種別において、厚紙と普通紙とでは、転写電流、分離電流、または定着条件等を変えている。
【００３３】
データバスＤＢに対しては、図示のように、入力部（操作部）９０が接続されている。この入力部９０の具体的構成としては、周知のＬＣＤタッチパネル９１を含むものを採用すればよい。オペレータはこのＬＣＤタッチパネル９１上に示されている各種のウインドウ（以下、ボタンという。）を指で押下・指示する等の操作をして、複写濃度や倍率、記録紙Ｓの出力設定等の変更、あるいはファクシミリ送信先の電話番号の入力やファクシミリ送信の実行等を行うことができる。
【００３４】
また特に、本実施の形態における入力部９０については、図示のように、サービスマンまたはキーオペレータによる前記画像形成条件を設定するためのキーオペレータメニューボタン９２が備えられている。
【００３５】
画像形成条件や記録材種別等の設定作業は、一般に、画像形成装置メーカーのサービスマンまたは購入先のキーオペレータにより行われる。
【００３６】
図３は本発明の記録紙種別設定手段に係わるキーオペレータ用ＬＣＤタッチパネルを示す図であり、９０２は図２のキーオペレータメニューボタン９２を押下したときに次画面として入力部（操作部）に表示されるキーオペレータメニュー画面であり、９２１は記録紙種別設定ボタンを示す。入力部は、一般に、画像形成装置の外側の上面または前面に配設される。
【００３７】
図４は、図３の記録紙種別設定ボタンを押下したときに次画面として表示されるタッチパネルを示す図である。
【００３８】
本実施の形態では、記録紙種別設定画面はサービスマンまたはキーオペレータが操作、設定しうる画面としている。
【００３９】
サービスマンまたはキーオペレータは、入力部を操作し、図に示す記録紙種別設定画面（タッチパネル画面）９０３を呼び出し、当該記録紙種別設定画面９０３を用いて各給紙ユニット毎に装填しうる記録紙の種別を設定することができる。
【００４０】
記録紙種別設定画面９０３には、記録紙種別を選択する選択手段として第１の入力手段、第２の入力手段、及びその他の入力手段があり、第１の入力手段は複数のボタンからなる第１の記録材種別選択ボタンで構成され、第２の入力手段は１つまたは複数のボタンからなる第２の記録材種別選択ボタンで構成される。
【００４１】
その他の入力手段としては、一対の矢印ボタン９３５、ＯＫボタン９３６、及びキャンセルボタン９３７がある。
【００４２】
実施の形態において、複数の第１の記録材種別選択ボタンは、普通紙ボタン９３１、厚紙ボタン９３２、及び薄紙ボタン９３３の３つのボタンであり、第２の記録材種別選択ボタンはユーザー設定紙ボタン９３４である。
【００４３】
記録紙種別設定画面９０３には、上記したボタン類の他に、全ての使用可能な種別の記録材を表示する表示手段である記録材種別表示部９３０があり、記録材収納手段である給紙ユニット（以下、トレイともいう。）の位置を表示する給紙ユニット位置表示部９４０、及び給紙ユニットを指定する給紙ユニット設定（トレイ設定）ボタン９４１、等がある。
【００４４】
記録材種別表示部９３０には、画像形成装置のメモリに前記制御テーブルを保有している全ての使用可能な種別の記録紙が表示される。
【００４５】
当該記録材種別表示部９３０に表示される表示手段である記録紙種別の表示は、第１の記録材種別選択ボタンである普通紙ボタン９３１が押下されたときは「普通紙１」、「普通紙２」、または「普通紙３」のいずれか１つが点灯し、一対の矢印ボタン９３５の操作により順次点灯する記録紙種別を切り換えることができる構成となっている。
【００４６】
同様に、第１の記録材種別選択ボタンの厚紙ボタン９３２を選択すると「厚紙１」〜「厚紙３」、薄紙ボタン９３３を選択すると「薄紙１」〜「薄紙３」のいずれか１つが点灯し、一対の矢印ボタン９３５の操作によりそれぞれ順次点灯する記録紙種別を変えることができる。
【００４７】
図において、給紙ユニット位置表示部９４０に「トレイ１」〜「トレイ３」で示した位置は給紙ユニットの位置を示し、選択されている給紙ユニットの位置にはランプが点灯する。トレイ設定ボタン９４１を１回押下する毎に「トレイ１」〜「トレイ３」の順に点灯位置が変化する。図では「トレイ２」が選択された状態を示している。
【００４８】
記録紙種別を設定したい給紙ユニットの位置を選択した後で、第１の記録材種別選択ボタンの１つである普通紙ボタン９３１を押下すると、普通紙ボタン９３１の枠の表示部が点灯し、同時に、記録材種別表示部９３０上の「普通紙１」の枠内表示部が点灯する。
【００４９】
本実施の形態において、例えば、「トレイ３」に「普通紙２」を設定したいときは、トレイ設定ボタン９４１により「トレイ３」を選択した後、一対の矢印ボタン９３５のボタンを操作して「普通紙２」を選択し「普通紙２」の表示を点灯させる。次いで、ＯＫボタン９３６を押下することにより「トレイ３」への「普通紙２」の設定が完了する。キャンセルボタン９３７はＯＫボタン押下後に設定を変更したいときに使用する。
【００５０】
同様に、厚紙及び薄紙について、厚紙ボタン９３２及び薄紙ボタン９３３を用いて記録紙種別の設定を行うことができる。
【００５１】
第１の記録材種別選択ボタンによる記録材種別の選択及び設定は、全ての給紙ユニットに対し共通して有効となる。即ち、第１の記録材種別選択ボタンの１つである普通紙ボタン９３１及び矢印ボタン９３５の操作により「普通紙２」を設定すると、全ての給紙ユニット（トレイ１〜３）に共通して、普通紙を使用するときは「普通紙２」の画像形成条件が設定される。厚紙及び薄紙についても同様に全ての給紙ユニットに共通した条件設定が行われる。
【００５２】
第２の記録材種別選択ボタンであるユーザー設定紙ボタン９３４を用いて記録紙を設定するときも同様の操作で設定する。図４は、例えば、ユーザーの希望により、「トレイ２」の位置において、ユーザー設定紙ボタン９３４で「厚紙２」が選択、設定され、それぞれの表示部が点灯している状態を示す。
【００５３】
然るに、第２の記録材種別選択ボタンによる記録材種別の選択及び設定は、第１の記録材種別選択ボタンに優先的に行われ、個別の給紙ユニットに適用される。即ち、第１の記録材種別選択ボタンの１つである厚紙ボタン９３２を用いて「厚紙１」が選択、設定されていても、第２の記録材種別選択ボタンであるユーザー設定紙ボタン９３４を用いて、「トレイ２」に「厚紙２」を設定すれば、「トレイ２」に対しては「厚紙２」の画像形成条件が優先されて設定される。この場合、「トレイ１」や「トレイ３」に厚紙ボタン９３２を選択すると、自動的に、「厚紙１」の画像形成条件が設定されることになる。
【００５４】
図５は本発明の記録材種別の設定に係わるブロック図である。
図において、第１の分類は使用可能な記録紙種別の大分類を示し、第２の分類は第１の分類を細分化した小分類を示す。
【００５５】
記録材種別の中から特定の記録材を選択する選択手段は、複数の第１の記録材種別選択ボタンと、１つまたは複数の第２の記録材種別選択ボタンとの２つのボタンからなる。
【００５６】
第２の分類において、右端の設定の欄に矢印を付した記録紙は、第１の記録材種別選択ボタン及び第２の記録材種別選択ボタンにより選択、設定し、特定した種別の記録紙を示す。
【００５７】
サービスマンまたはキーオペレータは、記録材種別の一方の選択手段である３つの第１の記録材種別選択ボタンを用いて、厚紙、普通紙、及び薄紙を選択し、第２の分類の記録紙種別から、例えば、図５の設定の欄の矢印の位置に示すように、「厚紙１」、「普通紙２」、及び「薄紙１」を選択する。この選択により画像形成装置は、予め画像形成装置本体の動作を制御する制御手段のメモリに入力された制御テーブルにより、画像形成条件である、転写電流、分離電流、または定着熱源の設定温度等が「厚紙１」、「普通紙２」、及び「薄紙１」のそれぞれに適した設定値に変更、制御される構成となっている。
【００５８】
サービスマンまたはキーオペレータが、記録材種別のもう一方の選択手段である第２の記録材種別選択ボタン、即ち「ユーザー設定紙ボタン」を選択し、第２の分類の記録紙種別から、ユーザーの要望により、例えば、「トレイ２」に対して、「厚紙２」を選択すると、画像形成装置は、自動的に前記制御テーブルにより前記画像形成条件が「厚紙２」に適した設定値に変更、制御される。
【００５９】
「ユーザー設定紙ボタン」により選択できる記録紙種別は、第２の分類に属する記録紙種別であればどれであっても良い。
【００６０】
本実施の形態における画像形成装置において、一般ユーザーが使用する操作ボタンと実際に選択される記録紙との関係は、「厚紙ボタン」に対応する記録紙が「厚紙１」、「普通紙ボタン」に対応する記録紙が「普通紙２」、及び「薄紙ボタン」に対応する記録紙が「薄紙１」であり、「ユーザー設定紙ボタン」に対応する記録紙が「厚紙２」ということになる。
【００６１】
図６は記録紙種別設定の手順を説明するためのフローチャートである。
サービスマンまたはキーオペレータは、始めに、入力部９０に備えられたキーオペレータメニューボタン９２を押下し、キーオペレータメニュー画面９０２を呼び出す（Ｓ１）。記録紙種別設定ボタン９２１を押下し記録紙種別設定画面９０３を呼び出す（Ｓ２）。給紙ユニット位置表示部９４０に表示された給紙ユニットの位置を確認し、トレイ設定ボタン９４１により設定したい位置を選ぶ。給紙ユニット（トレイ）設定ボタン９４１を押下しトレイを選択する（Ｓ３）。第１の記録材種別選択ボタンである「普通紙ボタン」９３１、「厚紙ボタン」９３２、または「薄紙ボタン」９３３を押下する（Ｓ４）。記録材種別表示部９３０に点灯表示された記録紙種別を矢印ボタン９３５を操作して選択する（Ｓ５）。希望する記録紙が選択されたかを確認し、希望する記録紙が選択されていないときはＳ５に戻る（Ｓ６）。希望する記録紙が選択されたときにはＯＫボタン９３６を押下する（Ｓ７）。全ての第１の記録材種別選択ボタンの設定が完了したかを確認する（Ｓ８）。Ｓ８が未完のときはＳ４に戻り、Ｓ４からＳ８までのステップを繰り返す。Ｓ８が完了したときはＳ９に進む。第２の記録材種別選択ボタンである「ユーザー設定紙ボタン」９３４を押下する（Ｓ９）。記録材種別表示部９３０に点灯表示された記録紙種別を矢印ボタン９３５を操作して選択する（Ｓ１０）。希望する記録紙が選択されたかを確認し、希望する記録紙が選択されていないときはＳ１０に戻る（Ｓ１１）。希望する記録紙が選択されたときにはＯＫボタンを押下する（Ｓ１２）。全ての第２の記録材種別選択ボタンの設定が完了したかを確認し、未完のときはＳ９に戻る（Ｓ１３）。全てのトレイの設定が完了したかを確認し、未完のときはＳ３に戻る（Ｓ１４）。全ての設定に間違いがないかを確認する（Ｓ１５）。間違いがあれば間違っている記録紙種別を表示させ、キャンセルボタン９３７を押下し、Ｓ３に戻る（Ｓ１６）。
【００６２】
以上述べた記録材種別の設定を完了させることにより、画像形成装置における画像形成時に、それぞれの記録材種別に適応した画像形成条件が自動的に選択され適正な画像が形成される。
【００６３】
本実施の形態では、第２の記録材種別選択ボタンを１つとしたが、これを複数にして、ユーザーの多様な要望を満足させることも可能である。
【００６４】
また、本実施の形態では、第２の入力手段をタッチパネル式のボタンを用いた方式としたが、ディップスイッチを用いた方式としても良いことは言うまでもない。
【００６５】
【発明の効果】
第１の記録材種別選択ボタンの選択により、全ての給紙ユニットに共通して選択した記録材の画像形成条件が設定されるため、平均的なユーザーの通常の使用状況に対応しうると共に、第２の記録材種別選択ボタンの選択により、各ユーザー固有の要望にそれぞれに対応することが可能となる。
【００６６】
また、記録紙種別を選択する操作ボタンの数を抑え必要なものを増やしたため、記録紙の種別に対し、操作するボタンの数が多過ぎることなく、記録紙の数多い種別の中から使用頻度の高い記録紙種別を効率良く選択できるようになった。
【００６７】
本発明により、適正な操作ボタン数でありながら、記録紙種別数に対しユーザーの要望を満足させることができる画像形成装置を提供することができる。
【図面の簡単な説明】
【図１】本発明にかかわる記録材種別設定機能を有する画像形成装置の一実施の形態を示す電子写真方式を用いたディジタル複合機の概要断面図。
【図２】画像形成システムの電気的構成例を示す概要図。
【図３】本発明の記録紙種別設定手段に係わるキーオペレータ用ＬＣＤタッチパネルを示す図。
【図４】
入力部に記録紙種別設定画面として表示されるタッチパネルを示す図。
【図５】
本発明の記録材種別の設定に係わるブロック図。
【図６】
記録紙種別設定の手順を説明するためのフローチャート。
【符号の説明】
９０　入力部（操作部）
９０２　キーオペレータメニュー画面
９０３　記録紙種別設定画面
９１　ＬＣＤタッチパネル
９２　キーオペレータメニューボタン
９２１　記録紙種別設定ボタン
９３０　記録材種別表示部
９３１　普通紙ボタン（第１の記録材種別選択ボタン）
９３２　厚紙ボタン（第１の記録材種別選択ボタン）
９３３　薄紙ボタン（第１の記録材種別選択ボタン）
９３４　ユーザー設定紙ボタン（第２の記録材種別選択ボタン）
９４０　給紙ユニット位置表示部
９４１　給紙ユニット設定（トレイ設定）ボタン
【図１】
2004021080.tif 000003
【図２】
2004021080.tif 000004
【図３】
2004021080.tif 000005
【図４】
2004021080.tif 000006
【図５】
2004021080.tif 000007
【図６】
2004021080.tif 000008